(57)【要約】【課題】軽量性を損ないにくく、かつ、剛性および耐久性に優れたグラブを提供することである。【解決手段】レース２０は指部１同士の間において、かつ、背面Ｂにおいて露出した状態で指部１同士を互いに連結する少なくとも１つの第１レース部２１を有し、各指部１は、第１レース２１のうち前記指部１の先端ＴＥに最も近い第１レース部２１から当該指部１の先端ＴＥまでの先端領域Ａ１を有し、２本の第１補強部１１は、指部１の長さ方向Ｄ１に沿った側縁Ｅ１，Ｅ２に向かって、かつ、先端ＴＥに向かって斜めに延びている。【選択図】図３
2016220897.tif 000002
【特許請求の範囲】
【請求項１】
グラブの本体部６から突出し、ボールを受ける捕球面Ｆおよび前記捕球面Ｆとは反対の背面Ｂを有する複数の指部１と、
互いに隣り合う指部同士を連結するレース２０と、
前記指部１の少なくとも長さ方向Ｄ１に延びる補強部１０とを備え、
前記レース２０は前記指部１同士の間において、かつ、前記背面Ｂにおいて露出した状態で前記指部１同士を互いに連結する少なくとも１つの第１レース部２１を有し、
前記各指部１は、前記第１レース部２１のうち前記指部１の先端ＴＥに最も近い第１レース部２１から当該指部１の前記先端ＴＥまでの先端領域Ａ１と、
前記指部１の付け根Ｒから前記先端ＴＥに向かって前記指部１の前記本体部６からの突出長さＬの０％〜５０％の付け根側領域Ａ３と、
前記先端領域Ａ１と付け根側領域Ａ３との間の中間領域Ａ２とを備え、
前記指部１における前記捕球面Ｆまたは前記背面Ｂのうちの少なくとも一方の面において、前記補強部１０が前記先端領域Ａ１の少なくとも一部から前記付け根側領域Ａ３の少なくとも一部にわたって設けられた第１、第２および第３補強部１１，１２，１３を含むグラブであって、
前記先端領域Ａ１における前記一方の面に少なくとも２本の第１補強部１１が設けられ、
前記少なくとも２本の第１補強部１１のうちの一方の第１補強部１１は、前記指部１の長さ方向Ｄ１に沿った一方の側縁Ｅ１に向かって、かつ、先端ＴＥに向かって斜めに延びており、
前記少なくとも２本の第１補強部１１のうちの他方の第１補強部１１は、前記指部１の長さ方向Ｄ１に沿った他方の側縁Ｅ２に向かって、かつ、先端ＴＥに向かって斜めに延びていることを特徴とする、グラブ。
【請求項２】
請求項１のグラブにおいて、前記レース２０は、
前記第１レース部２１と、前記指部１における最も前記先端ＴＥに近い第２レース部２２とを備え、
前記第１補強部１１は前記先端領域Ａ１において前記第１レース部２１と前記第２レース部２２との間を通って前記斜めに延びている、グラブ。
【請求項３】
請求項１もしくは２のグラブにおいて、
前記付け根側領域Ａ３における前記一方の面に少なくとも２本の前記第３補強部１３が設けられ、
前記少なくとも２本の第３補強部１３のうちの一方の第３補強部１３は、前記一方の側縁Ｅ１に向かって、かつ、前記付け根Ｒに向かって斜めに延びており、
前記少なくとも２本の第３補強部１３のうちの他方の第３補強部１３は、前記他方の側縁Ｅ２に向かって、かつ、前記付け根Ｒに向かって斜めに延びている、グラブ。
【請求項４】
請求項３のグラブにおいて、
前記指部１の付け根Ｒから前記先端ＴＥに向かって前記指部１の前記本体部６からの突出長さＬの１０％〜４０％の領域に前記第３補強部１３の少なくとも一部が設けられている、グラブ。
【請求項５】
請求項１，２，３もしくは４のグラブにおいて、
前記中間領域Ａ２における前記一方の面に少なくとも２本の前記第２補強部１２が設けられ、
前記少なくとも２本の第２補強部１２のうちの一方の第２補強部１２は前記一方の第１補強部１１に連なり、
前記少なくとも２本の第２補強部１２のうちの他方の第２補強部１２は前記他方の第１補強部１１に連なっている、グラブ。
【請求項６】
請求項３もしくは４において、
前記中間領域Ａ２における前記一方の面に少なくとも２本の前記第２補強部１２が設けられ、
前記少なくとも２本の第２補強部１２のうちの一方の第２補強部１２は前記一方の第１および第３補強部１３に連なり、
前記少なくとも２本の第２補強部１２のうちの他方の第２補強部１２は前記他方の第１および第３補強部１１，１３に連なっている、グラブ。
【発明の詳細な説明】
【技術分野】
【０００１】
本発明は野球、準硬式、軟式およびソフトボールのグラブに関する。
【背景技術】
【０００２】
近年、野球用グラブは動作速度の向上を目的とし軽量化が図られている。軽量化は、主にグラブの材料を薄肉化することにより行われる。
【先行技術文献】
【特許文献】
【０００３】
【特許文献１】実公平６−４９３２２号（目的または効果の欄）
【特許文献２】実開平０１−０２０８８４号（第１図）
【特許文献３】特許第４，６３３，１４１号（請求項１）
【特許文献４】実用新案登録３，１２９，９９２号（請求項１及び２）
【特許文献５】特開平０８−１９６６８１号（要約）
【特許文献６】実開平０７−０３００４０号（請求項１）
【発明の概要】
【０００４】
しかし、軽量化によってグラブ指先の曲げ剛性及び捩り剛性が低下する。これにより、速いボールに対してグラブが必要以上に変形し、パフォーマンスの低下を招く。例えば、強い打球をグラブの先端部で捕球しようとした際に、グラブの指部が後方に反ると共に先端が捩れ、捕球できない場合がある。
【０００５】
このような場合が生じる理由について、より詳細に説明する。
図４Ｂの指部１のモデルにおいて、今、指部１の先端部で打球を捕球すると、荷重Ｗが指部１の捕球面Ｆに負荷される。この際、指部１には曲げモーメントＭが発生し、この曲げモーメントＭにより指部１は後方に反る。一方、前記荷重Ｗが中心軸ＣＳに対し非対称に負荷されると捩りモーメントＴが発生し、この捩りモーメントＴにより指部１は中心軸ＣＳを中心に捩れる。
このような場合に、前記捕球できないことが生じる。
【０００６】
また、薄肉化により材料の耐久性も低下する。例えば、３ヵ月程度の使用で剛性が低下する場合もある。
【０００７】
剛性および耐久性の向上は、材料を厚くすることによって実現可能となるが、軽量化を実現することができない。
【０００８】
したがって、本発明の目的は、軽量性を損ないにくく、かつ、剛性および耐久性に優れたグラブを提供することである。
【０００９】
本発明の構成の説明に先立って本発明の原理について図を用いて説明する。
図４Ｂの曲げモーメントＭに対する抗力は指部１の曲げ剛性Ｅ・Ｉｚである。一方、捩りモーメントＴに対する抗力は指部１の中心軸ＣＳのまわりの捩りモーメントＧ・Ｉｐである。
【００１０】
まず、曲げ剛性Ｅ・Ｉｚについて説明する。
図５Ａおよび図５Ｂに示すように、指部１の捕球面または背面に補強部１０がある場合について説明する。
【００１１】
補強部１０が指部１の中心軸ＣＳに沿って配置された図５Ｂの一般的な構造に比べ、補強部１０が指部１に斜めに配置された図５Ａの構造は曲げ剛性Ｅ・Ｉｚが大きくなる。その理由を簡単に説明する。
【００１２】
例えば、方形断面の場合、曲げ剛性Ｅ・Ｉｚは下記の（１）式で表される。
Ｅ・Ｉｚ＝Ｅ・ｂｈ３／１２……（１）
但し、Ｅ：ヤング率（素材自体の縦弾性係数）
Ｉｚ：断面二次モーメント
ｂ：幅
ｈ：高さ
【００１３】
図５Ａの構造の場合、前記補強部１０の幅は、補強部１０の傾きをθとすると、ｂ／ｃｏｓθとなり、図５Ｂの構造よりも前記幅が大きくなる。そのため、補強部１０による断面二次モーメントＩｚの増大率が向上する。したがって、指部１の曲げ剛性Ｅ・Ｉｚの増大により指部１が捕球時に後方に反りにくく（曲がりにくく）、その結果、パフォーマンスの向上が期待できる。
【００１４】
つぎに、捩り剛性Ｇ・Ｉｐについて説明する。
図５Ｃおよび図５Ｄに示すように、指部１の捕球面または背面に補強部１０が２条ある場合について説明する。
【００１５】
一対の補強部１０が指部１の中心軸ＣＳの近傍に配置された図５Ｄの構造に比べ、一対の補強部１０が中心軸ＣＳから離れた図５Ｃの構造は、捩り剛性Ｇ・Ｉｐが大きくなる。その理由を簡単に説明する。
【００１６】
例えば、円形断面の場合、捩り剛性Ｇ・Ｉｐは下記の（２）式で表される。
Ｇ・Ｉｐ＝Ｇ・πｄ４／３２……（２）
但し、Ｇ：せん断弾性係数
Ｉｐ：断面二次極モーメント
ｄ：直径
すなわち、円形断面の場合、捩り剛性Ｇ・Ｉｐは直径の４乗に比例し、一般に中心軸からの距離が大きい部位は断面二次極モーメントＩｐの増大に大きく寄与することが分かる。
【００１７】
図５Ｄの構造に比べ図５Ｃの構造の場合、前記一対の補強部１０が中心軸ＣＳから大きく離間している。したがって、補強部１０による断面二次極モーメントＩｐの増大率が向上する。そのため、指部１の捩り剛性Ｇ・Ｉｐの増大により捕球時に指部１が捩れにくく、その結果、パフォーマンスの向上が期待できる。
【００１８】
なお、図５Ｃおよび図５Ｄの構造は、前述の（１）式から前記曲げ剛性Ｅ・Ｉｚについては互いに同程度であることが理解される。
【００１９】
つぎに、曲げ剛性Ｅ・Ｉｚおよび捩り剛性Ｇ・Ｉｐの増大が効果的（重要）な部位について説明する。
図３に示すように、一般に、指部１はレース２０によって互いに隣り合う指部１と先端領域Ａ１において互いに連結されている。また。一般に、捕球面Ｆ（図１）と反対の背面Ｂにおいて、前記レース２０は第１レース部２１および第２レース部２２を備える。
【００２０】
前記背面Ｂにおいて、一対の第１レース部２１は隣り合う指部１の側縁Ｅ１，Ｅ２の近傍に形成された第１貫通孔Ｈ１を通っており、そのため、単に指部１同士を連結するだけでなく指部１の捩りを抑制する抗力を発揮する。
【００２１】
しかし、ボールをグラブの指部１の先端側でキャッチする場合、先端領域Ａ１には瞬間的に大きな曲げモーメントおよび捩りモーメントが発生し易く、そのため、指部１が反り、かつ、捩られてボールを捕球できない事態が生じ易い。したがって、図３の先端領域Ａ１の剛性アップが重要であることが理解される。
【００２２】
一方、図３の指部１の付け根Ｒは曲げ及び捩りの生じる端となる。ここで、付け根Ｒ付近には使用者の指が入り込んで剛性が増大しており、曲げ及び捩りが生じにくい。しかし、指部１における指の先端に近い箇所では急激に剛性が小さくなり、そのため、応力の集中が生じる、しかも、曲げや捩りの生じる端となるから、かかる部位の剛性アップが重要であることが理解される。
【００２３】
本発明のグラブは、グラブの本体部６から突出し、ボールを受ける捕球面Ｆおよび前記捕球面Ｆとは反対の背面Ｂを有する複数の指部１と、
互いに隣り合う指部同士を連結するレース２０と、
前記指部１の少なくとも長さ方向Ｄ１に延びる補強部１０とを備え、
前記レース２０は前記指部１同士の間において、かつ、前記背面Ｂにおいて露出した状態で前記指部１同士を互いに連結する少なくとも１つの第１レース部２１を有し、
前記各指部１は、前記第１レース２１のうち前記指部１の先端ＴＥに最も近い第１レース部２１から当該指部１の前記先端ＴＥまでの先端領域Ａ１と、
前記指部１の付け根Ｒから前記先端ＴＥに向かって前記指部１の前記本体部６からの突出長さＬの０％〜５０％の付け根側領域Ａ３と、
前記先端領域Ａ１と付け根側領域Ａ３との間の中間領域Ａ２とを備え、
前記指部１における前記捕球面Ｆまたは前記背面Ｂのうちの少なくとも一方の面において、前記補強部１０が前記先端領域Ａ１の少なくとも一部から前記付け根側領域Ａ３の少なくとも一部にわたって設けられた第１、第２および第３補強部１１，１２，１３を含むグラブであって、
前記先端領域Ａ１における前記一方の面に少なくとも２本の第１補強部１１が設けられ、
前記少なくとも２本の第１補強部１１のうちの一方の第１補強部１１は、前記指部１の長さ方向Ｄ１に沿った一方の側縁Ｅ１に向かって、かつ、先端ＴＥに向かって斜めに延びており、
前記少なくとも２本の第１補強部１１のうちの他方の第１補強部１１は、前記指部１の長さ方向Ｄ１に沿った他方の側縁Ｅ２に向かって、かつ、先端ＴＥに向かって斜めに延びていることを特徴とする。
【００２４】
本発明によれば、指部１の先端領域Ａ１に少なくとも２本の第１補強部１１が設けられていることで、指部１の先端領域Ａ１の曲げ剛性Ｅ・Ｉｚおよび捩り剛性Ｇ・Ｉｐが増大する。更に、第１補強部１１が斜めに延びていることにより、先端領域Ａ１の曲げ剛性Ｅ・Ｉｚが増大する。また、２本の第１補強部１１が両側縁Ｅ１，Ｅ２に向かって末広がりに延びているので、先端領域Ａ１の捩り剛性Ｇ・Ｉｐが増大する。
【００２５】
したがって、前記剛性アップの重要性が高い先端領域Ａ１において指部１の両剛性が増大する。
【００２６】
また、前記剛性の向上はパフォーマンスの向上だけでなくグラブの耐久性を向上させる。更に、素材を厚くする必要もないから軽量性を損ないにくい。
【００２７】
本発明において、補強部１０は、指部１の曲げ剛性Ｅ・Ｉｚおよび捩り剛性Ｇ・Ｉｐの向上に寄与する構造であって、フラットバー状、棒状および糸状のような長さに比べ幅や厚さの小さい線条材が好ましい。また、補強部１０はグラブの本体部６を構成する材料よりもヤング率Ｅが大きい材料が好ましい。
【００２８】
本発明において、本体部６とは手の掌や手の甲を覆う部位をいう。
指部１とは指を挿入するための袋状の部位で、指袋のうちの前記本体部６から突出している部位をいう。
付け根部Ｒとは本体部６と指部１との境界をいう。
【図面の簡単な説明】
【００２９】
【図１】本発明の一実施例を示すグラブを捕球面側から見た斜視図である。
【図２】同背面側から見た斜視図である。
【図３】同グラブの指部を拡大して示す背面図である。
【図４】図４Ａは同指部の一部省略した中間領域の横断面図、図４Ｂは指部に負荷される力を示す模式的な斜視図である。
【図５】図５Ａ〜図５Ｄは本発明の原理を説明するための指部の模式的な背面図である。
【図６】試験例および比較例を示す同背面図である。
【図７】試験例および比較例の結果を示す図表である。
【図８】補強部の他の例を示す背面図である。
【図９】先端領域を説明するための背面図である。
【図１０】補強部の他の例を示す背面図である。
【発明を実施するための形態】
【００３０】
好ましくは、前記レース２０は、前記第１レース部２１と、前記指部１における最も前記先端ＴＥに近い第２レース部２２とを備え、
前記第１補強部１１は前記先端領域Ａ１において前記第１レース部２１と前記第２レース部２２との間を通って前記斜めに延びている。
【００３１】
この場合、前記剛性アップの重要性が高い先端領域Ａ１の曲げ剛性Ｅ・Ｉｚおよび捩り剛性Ｇ・Ｉｐが確実に増大する。
【００３２】
好ましくは、前記付け根側領域Ａ３における一方の面に少なくとも２本の前記第３補強部１３が設けられ、
前記少なくとも２本の第３補強部１３のうちの一方の第３補強部１３は、前記一方の側縁Ｅ１に向かって、かつ、前記付け根Ｒに向かって斜めに延びており、
前記少なくとも２本の第３補強部１３のうちの他方の第３補強部１３は、前記他方の側縁Ｅ２に向かって、かつ、前記付け根Ｒに向かって斜めに延びている。
【００３３】
この場合、前記剛性アップの重要性が高い付け根側領域Ａ３の曲げ剛性Ｅ・Ｉｚおよび捩り剛性Ｇ・Ｉｐが確実に増大する。
【００３４】
好ましくは、前記指部１の付け根Ｒから前記先端ＴＥに向かって前記指部１の前記本体部６からの突出長さＬの１０％〜４０％の領域に前記第３補強部１３の少なくとも一部が設けられている。
【００３５】
この場合、付け根側領域Ａ３のうちの更に重要性の高い部位の剛性アップが図られる。
【００３６】
好ましくは、前記中間領域Ａ２における一方の面に少なくとも２本の前記第２補強部１２が設けられ、
前記少なくとも２本の第２補強部１２のうちの一方の第２補強部１２は前記一方の第１補強部１１に連なり、
前記少なくとも２本の第２補強部１２のうちの他方の第２補強部１２は前記他方の第１補強部１１に連なっている。
【００３７】
この場合、中間領域Ａ２も補強され、先端領域Ａ１〜中間領域Ａ２にかけて曲げ剛性Ｅ・Ｉｚおよび捩り剛性Ｇ・Ｉｐの急激な変化を抑制して応力の集中を抑制し得る。したがって、パフォーマンスおよび耐久性の更なる向上が期待できる。
【００３８】
好ましくは、前記中間領域Ａ２における一方の面に少なくとも２本の前記第２補強部１２が設けられ、
前記少なくとも２本の第２補強部１２のうちの一方の第２補強部１２は前記一方の第１および第３補強部１３に連なり、
前記少なくとも２本の第２補強部１２のうちの他方の第２補強部１２は前記他方の第１および第３補強部１１，１３に連なっている。
【００３９】
この場合、先端領域Ａ１、中間領域Ａ２および付け根側領域Ａ３の全ての領域においてＥ・Ｉｚおよび捩り剛性Ｇ・Ｉｐが向上すると共に、これらの剛性の急激な変化による応力の集中を抑制し得る。
【００４０】
１つの前記各実施態様または下記の実施例に関連して説明および／または図示した特徴は、１つまたはそれ以上の他の実施態様または他の実施例において同一または類似な形で、および／または他の実施態様または実施例の特徴と組み合わせて、または、その代わりに利用することができる。
【実施例】
【００４１】
本発明は、添付の図面を参考にした以下の好適な実施例の説明からより明瞭に理解されるであろう。しかし、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。
【００４２】
以下、本発明の実施例を図面にしたがって説明する。
図１〜図４Ａは実施例１を示す。
【００４３】
図１において、野球用のグラブは５本の指を各々挿入する５本の指部１を備える。親指用の指部１と第２指（人差指）用の指部１との間には、格子状や網状のウエブ７が設けられている。前記各指部１は袋状で、手の挿入口６０を形成する本体部６から指先に向かって突出する。
【００４４】
前記本体部６および各指部１はボールを受ける捕球面Ｆと、その反対側の背面Ｂ（図２）とを備える。互いに隣り合う指部１同士は例えば革紐からなるレース２０によって互いに連結されている。図３のように、前記レース２０は第１レース部２１および第２レース部２２を備える。第１および第２レース部２１，２２はそれぞれ第１および第２貫通孔Ｈ１，Ｈ２を通っている。前記第１レース部２１は前記指部１同士の間において、かつ、前記背面Ｂにおいて露出した状態で前記指部１同士を互いに連結する。前記第２レース部２２は前記指部１における最も前記先端ＴＥに近い位置に配置されている。
【００４５】
各指部１は図３に示す先端領域Ａ１、中間領域Ａ２、付け根側領域Ａ３を備える。前記先端領域Ａ１は、前記指部１の第１レース部２１から当該指部１の先端ＴＥまでの領域である。前記先端領域Ａは一般に指部１の先端ＴＥから付け根に向かって０％〜３０％程度の領域である。前記付け根側領域Ａ３は前記指部１の付け根Ｒから前記先端ＴＥに向かって前記指部１の前記本体部６からの突出長さＬの０％〜５０％の領域である。前記中間領域Ａ２は前記先端領域Ａ１と付け根側領域Ａ３との間の中間の領域である。
ここで先端領域Ａ１についてより詳細に説明する。図３に示すように第１レース部２１が水平方向、すなわち、指部１の長さ方向Ｄ１に対して垂直方向に延びて配置されている場合には、先端領域Ａ１は上述したように第１レース部２１から当該指部１の先端ＴＥまでの領域である。この場合、第１レース部２１を延びている方向に延長したラインが先端領域Ａ１と中間領域Ａ２との境界となる。
一方、図９（ａ）に示すように１本の第１レース部２１が指部１の長さ方向Ｄ１に対して斜め方向に延びている場合には、先端領域Ａ１は第１レース部２１の中点ＭＰから指部１の先端ＴＥまでの領域である。この場合、中点ＭＰから長さ方向Ｄ１に対して垂直方向に延ばしたラインが先端領域Ａ１と中間領域Ａ２との境界になる。
また、図９（ｂ）に示すように２本以上の第１レース部２１が交差するような場合には、先端領域Ａ１は第１レース部２１同士の交点ＩＰから指部１の先端ＴＥまでの領域である。この場合、交点ＩＰから長さ方向Ｄ１に対して垂直方向に延ばしたラインが先端領域Ａ１と中間領域Ａ２との境界になる。
いずれの場合においても先端領域Ａ１と中間領域Ａ２との境界が、指部１の先端ＴＥから付け根に向かって、突出長さＬの２５％〜３５％の範囲、より好ましくは２８％〜３２％の範囲に位置するように第１レース部２１は配置される。
【００４６】
前記指部１における背面Ｂには補強部１０が先端領域Ａ１の少なくとも一部から前記付け根側領域Ａ３の少なくとも一部にわたって連続的に設けられている。前記補強部１０は指部１の少なくとも長さ方向Ｄ１に延び前記各領域Ａ１，Ａ２，Ａ３に各々設けられた第１、第２および第３補強部１１，１２，１３が互いに連なっている。
【００４７】
前記補強部１０は前記各指部１の付け根Ｒよりも挿入口６０（図１）に近い本体部６側にも設けられている。また、図１に示すように、各指部１の両側縁Ｅ１，Ｅ２および先端ＴＥに沿って、図１に示すＵ字状の別の補強部１０Ａが設けられている。
【００４８】
図２の第２指および第３指用の指部１に本実施例の特徴的な例えば一対の補強部１０，１０が設けられている。代表として図３の第３指用の指部１について説明する。前記一対の補強部１０，１０は互いに概ね線対称に配置されていると共に、一方の側縁Ｅ１を含む一方の側部と、他方の側縁Ｅ２を含む他方の側部に分かれて配置されている。
【００４９】
前記先端領域Ａ１における前記背面Ｂには、例えば２本の滑らかに湾曲した第１補強部１１が設けられている。前記２本の第１補強部１１のうちの一方の第１補強部１１は、前記指部１の長さ方向Ｄ１に沿った一方の側縁Ｅ１に向かって、かつ、先端ＴＥに向かって斜めに延びている。前記２本の第１補強部１１のうちの他方の第１補強部１１は、前記指部１の長さ方向Ｄ１に沿った他方の側縁Ｅ２に向かって、かつ、先端ＴＥに向かって斜めに延びている。
【００５０】
前記第１補強部１１は前記先端領域Ａ１において、滑らかに湾曲しながら前記第１レース部２１と前記第２レース部２２との間を通って各側縁Ｅ１またはＥ２まで斜めに延びている。前記第１補強部１１の先端１１Ｅは前記第１レース部２１と前記第２レース部２２との間に配置されている。
【００５１】
前記付け根側領域Ａ３における前記背面Ｂには、例えば２本の滑らかに湾曲した前記第３補強部１３が設けられている。前記２本の第３補強部１３のうちの一方の第３補強部１３は、前記一方の側縁Ｅ１に向かって、かつ、前記付け根Ｒに向かって斜めに延びている。前記２本の第３補強部１３のうちの他方の第３補強部１３は、前記他方の側縁Ｅ２に向かって、かつ、前記付け根Ｒに向かって斜めに延びている。
【００５２】
本実施例のように、前記指部１の付け根Ｒから前記指部１の先端ＴＥに向かって前記指部１の前記本体部６からの突出長さＬの１０％〜４０％の領域Ａ４に前記第３補強部１３の少なくとも一部が設けられているのが好ましい。前記補強部１３の基端１３Ｅは、前記付け根Ｒから前記突出長さＬの１０％〜３０％の領域Ａ５に配置されているのが好ましい。
【００５３】
前記中間領域Ａ２における前記背面Ｂには、例えば２本の前記第２補強部１２が設けられている。前記２本の第２補強部１２のうちの一方の第２補強部１２は前記一方の第１および第３補強部１３に連なっている。前記２本の第２補強部１２のうちの他方の第２補強部１２は前記他方の第１および第３補強部１１，１３に連なっている。
【００５４】
つぎに、前記補強部１０の構造の一例を説明する。
図４Ａにおいて、指部１は内皮１６および外皮１７を備える。本実施例の場合、前記外皮１７は背面Ｆにおいて３分割されている。互いに隣り合う外皮１７，１７の間には板状ないし棒状の補強材が挟まれており、前記補強材はハミダシと呼ばれる補強部１０を構成する。前記ハミダシは図３に明示するようにグラブの表面にライン状に現れる。
【００５５】
前記ハミダシには本実施例のキリハミとタマハミ（パイピング）の２種類がある。キリハミは革を裁断し断面が見えるように挟み込まれる。タマハミは薄い革をパイピングライン状に仕上げて挟み込まれる。
補強部１０はグラブの本体部６を構成する材料よりもヤング率Ｅが大きい材料によって形成されていることが好ましい。かかる剛性の高い材料の候補としては、樹脂、金属、ゴム、糸（縫製を含む）、皮革があり、補強部１０は例えばハミダシで形成されてもよい。また補強部１０は、これらの材料１種類を使用した単一材料によって形成されていてもよいし、２種類以上の材料を使用した複合材料によって形成されていてもよい。複合材料としては、例えば、繊維強化プラスティック（ＦＲＰ）を使用することができる。
また補強部１０は全体として一本の連続的または不連続（断続的）な線状であればよく、例えば、図１０に示すように不連続に配置された部材が全体として線状となった構成からなる補強部１０でもよい。不連続に配置された補強部１０としては、例えば、縫製した部分からなる補強部１０（図１０（ａ））や剛性の高い材料を指部１の表面に不連続に貼り付けた構成からなる補強部１０（図１０（ｂ））などが挙げられる。また、長い線状の補強部１０の一部が欠損したような不連続であってもよい。補強部１０が不連続に配置された部材からなる場合、隣接する部材同士の間隔（隙間）は、例えば、１ｍｍ〜１０ｍｍの範囲に設定される。
【００５６】
つぎに、前記補強部１０（補強材）の効果について検証した結果を、図６および図７を用いて簡単に説明する。
図６Ａ、図６Ｂおよび図６Ｃは、それぞれ、検証に用いた試験例および比較例１，２のモデルを示す。
【００５７】
図６Ａの試験例および図６Ｂの比較例１のモデルには指部１に一対の補強材を設けた。図６Ｃの比較例２のモデルには指部１に補強材を設けていない。
【００５８】
図６Ａの補強材は破線で示すレース（第１レース部２１（図３）に相当）の位置よりも先端まで延びている。一方、図６Ｂの補強材は破線で示すレース（第１レース部２１）の位置に終端を有しており、図６Ａの補強材よりも短い。なお、補強材の弾性係数Ｅ，Ｇはグラブの素材の４倍に設定した。
【００５９】
これらのモデルの曲げ剛性Ｅ・Ｉｚおよび捩り剛性Ｇ・ＩｐをＺ座標の位置を変化させて、電子計算機で計算した。その結果を図７Ａおよび図７Ｂに示す。
【００６０】
図７Ａおよび図７Ｂに示すように、補強材を設けたモデルは曲げ剛性Ｅ・Ｉｚおよび捩り剛性Ｇ・Ｉｐが増大していることが分かる。
【００６１】
図７Ａの曲げ剛性Ｅ・Ｉｚに関し、補強材が短いモデル（比較例１）に比べ補強材の長いモデル（試験例）ではレース位置の若干先端側においても、大きな値を示している。したがって、図３のように、先端領域Ａ１において、第１補強部１１が第１レース部２１よりも前方まで延びていることにより、重要度の高い先端領域Ａ１の曲げ剛性Ｅ・Ｉｚが著しく向上することが理解できる。
【００６２】
図７Ｂの捩り剛性Ｇ・Ｉｐに関し、補強材が短いモデル（比較例１）ではレースの位置を境にして、極めて大きな変化を呈していると共に、レースの位置よりも先端において補強材がない場合と同様に低下する。これに対し、補強材の長いモデル（試験例）ではレース位置の若干先端側においても、大きな安定した値を示している。したがって、図３のように、先端領域Ａ１において、第１補強部１１が第１レース部２１よりも前方まで延びていることにより、重要度の高い先端領域Ａ１の捩り剛性Ｇ・Ｉｐが著しく向上することが理解できる。
【００６３】
図８は補強部１０の他の例を示す。
図８Ａのように、第２補強部１２は屈曲していてもよい。
図８Ｂのように、第２補強部１２は１本であってもよい。
図８Ｃのように、補強部１０はＸ字状に配置されてもよい。
図８Ｄのように、一対の補強部１０、１０は互いに比対称であってもよい。
図８Ｅのように、一対の補強部１０、１０の間に別の補強部１０Ｂが付加されていてもよい。
図８Ｆのように、一対の補強部１０、１０の間を連結する更に別の補強部１０Ｃが付加されていてもよい。
【００６４】
ところで、図３の補強部１０は図１の指部１の捕球面Ｆ側に設けられてもよい。補強部１０を捕球面Ｆ側に設けた場合、ジャッグルの抑制効果が期待できるかもしれない。しかし、捕球面Ｆ側に比べ図３の背面Ｂは側縁Ｅ１，Ｅ２において湾曲しており、一般に、捕球面Ｆよりも表面積が大きいので、背面Ｂの方が制作し易いだろう。
【００６５】
以上のとおり、図面を参照しながら好適な実施例を説明したが、当業者であれば、本明細書を見て、自明な範囲内で種々の変更および修正を容易に想定するであろう。
たとえば、付け根側領域Ａ３及び／又は中間領域Ａ２の補強部は１本であってもよい。
また、本補強部の構造は第２指及び／又は第３指のみに設けてもよいし、第２指および第３指以外の部位に設けられていてもよい。
また、指部の背面の前記第１レース部２１よりも付け根側において指部同士を連結する別のレース部を設けてもよい。
したがって、そのような変更および修正は、請求の範囲から定まる本発明の範囲内のものと解釈される。
【産業上の利用可能性】
【００６６】
本発明のグラブは野球の他、準硬式、軟式およびソフトボール用として利用できる。
【符号の説明】
【００６７】
１：指部
１０：補強部  １０Ａ，１０Ｂ，１０Ｃ：別の補強部
１１：第１補強部  １１Ｅ：先端  １２：第２補強部  １３：第３補強部  １３Ｅ：基端
２０：レース  ２１：第１レース部  ２２：第２レース部
６：本体部  ６０：挿入口
７：ウエブ
Ａ１：先端領域  Ａ２：中間領域  Ａ３：付け根側領域  Ａ４，Ａ５：領域  
ＣＳ：中心軸  Ｄ１：長さ方向
Ｅ１，Ｅ２：側縁
Ｆ：捕球面  Ｂ：背面
Ｈ１，Ｈ２：貫通孔
Ｌ：突出長さ
Ｒ：付け根  ＴＥ：先端
Ｔ：捩りモーメント  Ｍ：曲げモーメント  Ｗ：荷重
【図１】
2016220897.tif 000003
【図２】
2016220897.tif 000004
【図３】
2016220897.tif 000005
【図４】
2016220897.tif 000006
【図５】
2016220897.tif 000007
【図６】
2016220897.tif 000008
【図７】
2016220897.tif 000009
【図８】
2016220897.tif 000010
【図９】
2016220897.tif 000011
【図１０】
2016220897.tif 000012